(57)【要約】【課題】  無線通信端末装置が稼働状態にあって充電が開始されたとしても適切に満充電とすることが可能な無線通信端末装置の充電制御装置を提供する。【解決手段】  充電器にセットされてからの経過時間を計時し、当該経過時間が所定時間に達すると電池への充電を停止する充電制御手段（９２，９３）を具備する無線通信端末装置において、前記無線通信端末装置が稼動状態であるか否かを検出する検出手段（９４）を具備し、充電中に前記検出手段（９４）が前記無線通信端末装置の稼動状態を検出した場合は、稼動状態に無いことを検出するまで、前記充電制御手段（９２，９３）による経過時間の計時を停止する。【選択図】  図４
2005057791.tif 000002
【特許請求の範囲】
【請求項１】
充電器にセットされてからの経過時間を計時し、当該経過時間が所定時間に達すると電池への充電を停止する充電制御手段を具備する無線通信端末装置において、
前記無線通信端末装置が稼動状態であるか否かを検出する検出手段を具備し、
充電中に前記検出手段が前記無線通信端末装置の稼動状態を検出した場合は、稼動状態に無いことを検出するまで、前記充電制御手段による経過時間の計時を停止することを特徴とする無線通信端末装置。
【請求項２】
充電器にセットされてからの経過時間を計時し、当該経過時間が第１の所定時間に達すると電池への充電を停止する第１の充電制御手段と、
充電器にセットされて電池電圧が所定の電圧に達してからの経過時間を計時し、当該経過時間が第２の所定時間に達すると当該電池への充電を停止する第２の充電制御手段とを具備する無線通信端末装置において、
前記無線通信端末装置が稼動状態であるか否かを検出する検出手段を具備し、
充電中に前記検出手段が前記無線通信端末装置の稼動状態を検出した場合は、稼動状態に無いことを検出するまで、前記第１及び第２の充電制御手段による経過時間の計時を停止することを特徴とする無線通信端末装置。
【発明の詳細な説明】
【技術分野】
【０００１】
この発明は、充電され得る電池を具備した無線通信端末装置に関するものである。
【背景技術】
【０００２】
従来、端末装置に備えられる充電される電池は、リチウム電池などであり、過電圧（過充電）、過放電、過電流に対する保護が必要である。そのため、通信端末装置の充電制御装置は、通信端末装置が充電器にセットされてから所定時間後に充電をオフとする第１の充電制御と、更に、電池電圧を監視して所定の電圧に電池電圧が達してから所定時間後に充電をオフとする第２の充電制御とを行っている。
【０００３】
しかしながら、無線通信端末装置にあっては、充電しているときに通信が可能となっており、上記のように二重のタイマによる充電のオフを行うと、実際には満充電になっていないにも拘らず、充電がオフされる可能性があった。
【０００４】
例えば、ＰＨＳ端末装置や携帯電話機において、充電状態においてスピーカ拡声を行った場合には、充電しているにも拘らず、電力消費が大きくなり、タイマによる充電のオフを行うと、実際には満充電になっていないにも拘らず、充電がオフされる可能性があった。
【発明の開示】
【発明が解決しようとする課題】
【０００５】
本発明は上記のような従来の無線通信端末装置の充電制御装置が有する問題点を解決せんとしてなされたもので、その目的は、無線通信端末装置が稼働状態にあって充電が開始されたとしても適切に満充電とすることが可能な充電制御装置を備えた無線通信端末装置を提供することである。
【課題を解決するための手段】
【０００６】
本発明に係る無線通信端末装置は、充電器にセットされてからの経過時間を計時し、当該経過時間が所定時間に達すると電池への充電を停止する充電制御手段を具備する無線通信端末装置において、前記無線通信端末装置が稼動状態であるか否かを検出する検出手段を具備し、充電中に前記検出手段が前記無線通信端末装置の稼動状態を検出した場合は、稼動状態に無いことを検出するまで、前記充電制御手段による経過時間の計時を停止することを特徴とする。
【０００７】
本発明に係る無線通信端末装置は、充電器にセットされてからの経過時間を計時し、当該経過時間が第１の所定時間に達すると電池への充電を停止する第１の充電制御手段と、充電器にセットされて電池電圧が所定の電圧に達してからの経過時間を計時し、当該経過時間が第２の所定時間に達すると当該電池への充電を停止する第２の充電制御手段とを具備する無線無線通信端末装置において、前記無線通信端末装置が稼動状態であるか否かを検出する検出手段を具備し、充電中に前記検出手段が前記無線通信端末装置の稼動状態を検出した場合は、稼動状態に無いことを検出するまで、前記第１及び第２の充電制御手段による経過時間の計時を停止することを特徴とする。
【発明の効果】
【０００８】
以上説明したように、請求項１に記載の無線通信端末装置によれば、充電中に無線通信端末装置が稼動状態であるか否かにより、充電制御手段による充電制御に対する制御、つまり、無線通信端末装置の稼動状態を検出した場合は、稼動状態に無いことを検出するまで、上記充電制御手段による経過時間の計時を停止するので、無線通信端末装置の状態に応じて適切に充電がなされるという効果がある。
【０００９】
以上説明したように、請求項２に記載の無線通信端末装置によれば、充電中に無線通信端末装置が稼動状態であるか否かにより、第１、第２の充電制御手段による充電制御が制御、つまり、無線通信端末装置の稼動状態を検出した場合は、稼動状態に無いことを検出するまで、上記第１及び第２の充電制御手段による経過時間の計時を停止するので、適切に充電がなされるという効果がある。
【発明を実施するための最良の形態】
【００１０】
本発明では、無線通信端末装置が稼働状態にあって充電が開始されたとしても適切に満充電とするという目的を、充電中に無線通信端末装置が稼動状態であるか否かにより、充電制御の制御を行う構成を採用して達成した。
【実施例１】
【００１１】
以下添付図面を参照して本発明の実施の形態に係る電話装置を説明する。各図において、同一の構成要素には同一の符号を付して重複する説明を省略する。この例では、ＰＨＳ（パーソナル・ハンディーホン・システム）端末装置を説明するが、本発明はこれに限らず、携帯電話機、有線回線に接続される電子電話機、構内交換機のシステム等として実現可能である。
【００１２】
図１には、本発明の実施の形態に係るＰＨＳ端末装置の構成図が示されている。ＰＨＳ端末装置は、無線部１、モデム部２、ＴＤＭＡ部３、通話部４、制御部５、電源部６を備えている。無線部１にはアンテナ１１が接続され、通話部４にはマイクロホン４４とゲインコントローラ４６とが接続されている。ゲインコントローラ４６には、増幅器４５を介してスピーカ４３が接続されている。また、制御部５には、キー入力部５１、表示部５２、計時回路５３、サウンダ５４、バイブレータユニット５５、ＲＡＭ５６、プログラムＦＲＯＭ５７、録再ＦＲＯＭ５８、ＥＥＰＲＯＭ５９、ＬＥＤ７１が接続されている。
【００１３】
上記無線部１には、信号を受信しダウンコンバートする受信部１３、信号を送信の周波数へアップコンバートする送信部１５、これら受信部１３及び送信部１５に対しダウンとアップのコンバート用の周波数を与えるシンセサイザ１４、受信部１３と送信部１５を切り換えてアンテナ１１に接続するスイッチ１２、受信電界の強度を検出する受信電界強度検出部１６が設けられている。
【００１４】
モデム部２には、信号を復調する復調部２１と、信号を変調する変調部２２とが設けられている。ＴＤＭＡ部３には、タイムスロットから信号を取り出すＴＤＭＡデコ−ド部３１と、所定のタイムスロットに信号を挿入するＴＤＭＡエンコード部３２とが備えられている。また、通話部４には適応差分によるＰＣＭコード化及びデコードを行う適応差分ＰＣＭコーデック４１、ＰＣＭによるコード化及びデコードを行うＰＣＭコーデック４２が設けられている。
【００１５】
制御部５は、プロセッサ等により構成され、プログラムＦＲＯＭ５７に記憶されているプログラムにより各部を制御する。キー入力部５１は、ダイヤルキーや各種の機能キーを有する。表示部５２は、例えば、ドット表示可能なＬＣＤにより構成されている。計時回路５３は、制御部５が参照する時間を提供する。サウンダ５４は、着信音を発生するために用いられる。バイブレータユニット５５は、振動により着信を知らせる。ＲＡＭ５６は、制御部５がワーキング領域として用いる。プログラムＦＲＯＭ５７は書き換え可能なＲＯＭであり、制御部５が用いるプログラムが記憶されている。録再ＦＲＯＭ５８は書き換え可能なＲＯＭであり、通話時の音声データ等が記憶される。ＥＥＰＲＯＭ５９は、電話帳データや発呼と着呼のカウント値等が記憶される。
【００１６】
電源部６には、二次電池からなるバッテリ６１と、このバッテリ６１の電圧を所定電圧Ｖccとして各部に与える電源回路６２とが備えられている。ＬＥＤ７１は、着呼を受け取ると発光されて着信を報知するためのものである。本実施の形態では、このＬＥＤ７１が２種類の色（例えば、赤色と緑色）で発光する。サウンダ５４からの着信報知と共に、上記ＬＥＤ７１の発光によってユーザは着信を知ることができる。電源部６にあっては、リチウム電池がバッテリ６１として備えられ、電源回路６２がシステム電源ＩＣにより構成されている。更に、この電源部６には、充電制御回路６３、充電器８０に接続される充電端子６４、満充電を表示するＬＥＤ６５が備えられている。
【００１７】
以上の構成のＰＨＳ端末装置において、公衆基地局または家庭用基地局から到来する無線周波信号は、アンテナ１１で受信される。受信信号はスイッチ１２を介して受信部１３に到り、シンセサイザ１４から出力される信号とミキシングされてダウンコンバートされる。このとき、シンセサイザ１４の発振周波数は制御部５からの制御により無線チャネル周波数に応じて変更されている。ダウンコンバートされた信号は、復調部２１へ送られてディジタル復調されＴＤＭＡデコード部３１へ送られる。ＴＤＭＡデコード部３１は、制御部５の制御下において、自装置に割り当てられたタイムスロットから信号を取り出し、制御信号の場合は制御部５へ送り、また、通話信号の場合には適応差分ＰＣＭコーデック４１へ送る。適応差分ＰＣＭコーデック４１では、通話信号の適応差分によるＰＣＭデコードが行われ、この信号はＰＣＭコーデック４２においてＰＣＭデコードが行われアナログ信号に変換される。アナログ化された通話信号は、ゲインコントローラ４６、増幅器４５にて増幅されスピーカ４３から音声とされて出力される。
【００１８】
なお、無線部１に設けられている受信電界強度検出部１６は、受信に係る無線周波信号の電界強度を検出し、検出値を制御部５に通知している。
【００１９】
一方、マイクロホン４４から入力された音声は、音声信号とされてＰＣＭコーデック４２及び適応差分ＰＣＭコーデックにより順次にディジタル化され、ＴＤＭＡエンコード部３２へ送られて自装置に割り当てられたタイムスロットに挿入される。この信号は、変調部２２へ送られて変調され、送信部１５へ送られてシンセサイザ１４から出力される信号とミキシングされてアップコンバートされる。送信部１５の出力信号はスイッチ１２を介してアンテナ１１から無線送信される。
【００２０】
また、制御部５が送信する制御信号は、ＴＤＭＡエンコード部３２へ送られて自装置が確保したチャネルのタイムスロットに挿入されて、上記通話信号と同一の経路を介して送信される。
【００２１】
以上のように構成されたＰＨＳ端末装置は、発呼時に図２に示すシーケンスにより発呼動作を行う。この図において、ＰＳは、ＰＨＳ端末装置を示し、ＣＳは、基地局を示す。先ず、キー入力部５１のオフフックボタン等が操作され、オフフックを検出すると、制御部５は制御チャネルを介して基地局へリンクチャネル確立メッセージ１０１を送出する。基地局は、これを受取り、空いているリンク（通話）チャネルを検出して、当該リンクチャネルの割当メッセージ１０２を制御チャネルを介して送ってくる。これに応えて、制御部５は割当てられたリンクチャネルを使用して同期バースト１０３を送信し、同期が確立すると、逆に基地局から同期バースト１０４を送信する。
【００２２】
同期が確立すると、制御部５は確認型情報転送動作モードの設定開始をＳＡＢＭ信号１０５により通知し、これを受けた基地局は初期設定の確認をＵＡ信号１０６により返送する。これを受けた制御部５は、呼設定メッセージ１０７を送信する。この呼設定メッセージ１０７は、基地局から網へ送信され、網が呼が正当なものであることを検出すると、呼設定受付メッセージ１０８を返送してくる。ＰＨＳ端末装置に通知情報受信指示が設定されている場合、制御部５は、定義情報要求メッセージ１０９を送信する。これを受けた網は、定義情報応答１１０により通知情報を返送する。ＲＴ（無線管理）機能要求の指示が設定されている場合、制御部５は機能要求メッセージ１１１を送信する。それを受けた網は、機能要求応答メッセージ１１２によりＲＴ機能を返送する。
【００２３】
更に、制御部５は、秘匿鍵設定メッセージ１１３により秘匿鍵を網に通知する。ＭＭ（移動管理）機能要求の指示が設定されている場合、制御部５は機能要求メッセージ１１４を送信する。これを受けた網は、機能要求応答メッセージ１１５によりＭＭ機能を返送する。次に、網は認証乱数を発生し、乱数を認証要求メッセージ１１６を通知する。制御部５はこれを受け取り、自身が有している認証鍵を用いて乱数を暗号化し、認証応答メッセージ１１７により網に送信する。この暗号を受け取った網は、ＰＨＳ端末装置と同一の認証鍵を用いて送った乱数を暗号化し、これと受信した暗号が一致するかどうかを判断する。判断の結果、不一致となると、呼切断復旧の規則に従って呼解放手順を開始する。判断の結果、一致となると、呼接続を継続する。
【００２４】
網は、確認型情報転送動作モードの解除をＤＩＳＣ信号１１８により通知する。これを受けた制御部５は、解除の確認をＵＡ信号１１９により返送する。着ユーザ呼出しが開始されたことの表示を網が受信すると、網は呼出メッセージ１２０により通知する。また、リングバックトーン１２１が送られてくるので、これは受信通話信号と同様にスピーカ４３から出力する。網は、着ユーザが応答したことを検出すると、応答メッセージ１２２を通知してくる。これにより、着ユーザ側との通話１２３が開始される。
【００２５】
一方、着呼の場合には、図３に示されるように、網から着呼メッセージ２０１が送られてくるので、制御部５は制御チャネルを介して基地局へリンクチャネル確立メッセージ２０２を送出する。基地局は、これを受取り、空いているリンク（通話）チャネルを検出して、当該リンクチャネルの割当メッセージ２０３を制御チャネルを介して送ってくる。これに応えて、制御部５は割当てられたリンクチャネルを使用して同期バースト２０４を送信し、同期が確立すると、逆に基地局から同期バースト２０５を送信する。
【００２６】
同期が確立すると、制御部５は確認型情報転送動作モードの設定開始をＳＡＢＭ信号２０６により通知し、これを受けた基地局は初期設定の確認をＵＡ信号２０７により返送する。これを受けた制御部５は、着呼応答メッセージ２０８を網に対して送信する。着呼応答メッセージ２０８を受信した網は、呼設定メッセージ２０９を送信してくる。これを受けた制御部５は、呼設定受付メッセージ２１０を返送する。
【００２７】
ＰＨＳ端末装置に通知情報受信指示が設定されている場合、制御部５は、定義情報要求メッセージ２１１を送信する。これを受けた網は、定義情報応答２１２により通知情報を返送する。ＲＴ（無線管理）機能要求の指示が設定されている場合、制御部５は機能要求メッセージ２１３を送信する。それを受けた網は、機能要求応答メッセージ２１４によりＲＴ機能を返送する。
【００２８】
更に、制御部５は、秘匿鍵設定メッセージ２１５により秘匿鍵を網に通知する。ＭＭ（移動管理）機能要求の指示が設定されている場合、制御部５は機能要求メッセージ２１６を送信する。これを受けた網は、機能要求応答メッセージ２１７によりＭＭ機能を返送する。次に、網は認証乱数を発生し、乱数を認証要求メッセージ２１８を通知する。制御部５はこれを受け取り、自身が有している認証鍵を用いて乱数を暗号化し、認証応答メッセージ２１９により網に送信する。この暗号を受け取った網は、ＰＨＳ端末装置と同一の認証鍵を用いて送った乱数を暗号化し、これと受信した暗号が一致するかどうかを判断する。判断の結果、不一致となると、呼切断復旧の規則に従って呼解放手順を開始する。判断の結果、一致となると、呼接続を継続する。
【００２９】
制御部５はサウンダ５４により呼出音を発生して着信を表示し、呼出中を示す呼出メッセージ２２０を網に送信する。そして、制御部５はオフフックされるのを検出し、オフフックがあると、応答メッセージ２２１を網に対して送る。応答を確認した網は応答確認メッセージ２２２を返送し、確認型情報転送動作モードの解除をＤＩＳＣ信号２２３により通知する。これを受けた制御部５は、解除の確認をＵＡ信号２２４により返送する。そして、発ユーザ側との通話２２５が開始される。
【００３０】
以上のように構成されたＰＨＳ端末装置では、受話音声の拡声モードを指示するためのキーが設けられるか、所定のキー操作により拡声モードを指示可能に構成されている。
【００３１】
図４には、充電制御回路６３の機能ブロック図が示されている。充電制御回路６３には、充電器８０に充電端子６４が接続されたときに、充電器８０からの電圧を得て充電器８０に接続されたことを検出する接続検出部９１と、第１の充電制御手段９２、第２の充電制御手段９３、検出手段９４、制御手段９５、バッテリ６１への充電経路をオンオフするスイッチ９６とが設けられている。
【００３２】
第１の充電制御手段９２は、充電器８０に充電端子６４が接続されてから第１の時間ｔ１が経過すると充電をオフとするものであり、第２の充電制御手段９３は、バッテリ（電池）６１の電圧が所定電圧に充電されてから第２の時間ｔ２が経過すると充電をオフとするものである。また、検出手段９４は、充電器８０に充電端子６４が接続されると、ＰＨＳ端末装置の状態を信号線６６を介して検出する。具体的には、本ＰＨＳ端末装置では、充電状態においてスピーカ拡声モードを許容するので、スピーカ拡声モードであるかを検出する。更に、制御手段９５は、上記検出手段９４が検出したＰＨＳ端末装置の状態に基づいて、第１の充電制御手段９２、第２の充電制御手段９３による制御の開始を管理するものである。
【００３３】
上記の充電制御回路６３の各手段は、実際上は例えばマイクロプロセッサ等により構成され、図５、図６に示されるフローチャートのプログラムを実行することにより実現されるので、図５、図６に示されるフローチャートに従って動作を説明する。充電器８０に充電端子６４が接続されると、接続検出部９１が接続を検出し、充電制御回路６３の各手段に充電開始を通知する。そこで、プロセッサは、信号線６６を介して、ＰＨＳ端末装置がスピーカ拡声による通話中であるかを検出する（Ｓ１）。ここで、ＰＨＳ端末装置がスピーカ拡声による通話中でないことが検出された場合には、図６に示すフローチャートの処理へ進み、ＰＨＳ端末装置がスピーカ拡声による通話中であることが検出されると、ステップＳ２へ進む。
【００３４】
ステップＳ２において、バッテリ６１の電圧を検出して満充電電圧か否かを検出する。満充電でなければ、ステップＳ１へ戻って動作を継続し、満充電であることが検出されると、バッテリ６１の充電をオフとする（スイッチ９６をオフとする。）。そして、バッテリ６１の電圧を検出して再充電電圧か否かを検出する（Ｓ４）。再充電電圧まで電圧の低下がなければ、バッテリ６１の充電オフを継続し（Ｓ５）、信号線６６を介して、ＰＨＳ端末装置がスピーカ拡声による通話中であるかを検出する（Ｓ６）。ここで、ＰＨＳ端末装置がスピーカ拡声による通話中であることが検出された場合には、ステップＳ４へ戻って動作を継続し、ＰＨＳ端末装置がスピーカ拡声による通話中でなくなると、図６に示すフローチャートの処理へ進む。また、ステップＳ４において、バッテリ６１の電圧が再充電電圧まで電圧の低下した場合には、充電を開始し（Ｓ７）、ステップＳ１へ戻って処理を継続する。このように、スピーカ拡声による通話が行われている場合には、バッテリ６１の電圧を監視して必要に応じて充電を行うので、一度充電された後に電力消費により満充電状態でなくなり、その後に通常より早くバッテリ切れとなる不具合を防止する。
【００３５】
一方、当初から、または、スピーカ拡声による通話終了により、スピーカ拡声による通話が行われていないときには、図６に示されるように、第１のタイマｔ１をスタートさせ（Ｓ８）、バッテリ６１の電圧を監視して満充電電圧となったかを監視する（Ｓ９）。そして、満充電電圧となっていなければ、第１のタイマｔ１がタイムアップしたかを検出し（Ｓ１０）、タイムアップとなっていなければステップＳ９へ戻ってバッテリ６１の電圧を監視して満充電電圧となったかを監視する。
【００３６】
上記において、第１のタイマｔ１がタイムアップすると、ＬＥＤ６５により満充電表示を行い（Ｓ１１）、ステップＳ１４へと進む。また、ステップＳ９におけるバッテリ６１の電圧を監視において、満充電電圧となったことが検出されると、第２のタイマｔ２をスタートさせ（Ｓ１２）、当該第２のタイマｔ２のタイムアップによりＬＥＤ６５により満充電表示を行い（Ｓ１３）、ステップＳ１４へと進む。ここに、ＬＥＤ６５は、例えば、赤色及び緑色を発光するＬＥＤであり、充電の当初は赤色に発光され、満充電表示は緑色発光により行う。
【００３７】
満充電表示を行った後には、充電オフを実行し（Ｓ１４）、バッテリ６１の電圧を検出して再充電電圧か否かを検出する（Ｓ１５）。再充電電圧まで電圧の低下がなければ、バッテリ６１の充電オフを継続し（Ｓ１６）、ステップＳ１５へ戻って処理を継続する。また、ステップＳ１５において、バッテリ６１の電圧が再充電電圧まで電圧の低下した場合には、充電を開始し（Ｓ１７）、ステップＳ８へ戻って処理を継続する。このようにして、スピーカ拡声による通話がなされていなければ、２つのタイマを用いて過電圧（過充電）、過放電、過電流に対する保護が図られる。
【００３８】
以上の説明では、スピーカ拡声の場合について説明したが、他の例としては、データ端子７４にパーソナルコンピュータ等が接続され、データ通信が充電中に行われている場合を挙げることができる。制御部５は、通話中となってから非音声通信の旨を通知し（または、通知があると）、ＴＤＭＡデコード部３１の出力を通話部４に送出することなく、制御部５に取り込み、また、通話部４の出力ではなく、制御部５の出力（データ端子７４に接続されたパーソナルコンピュータからのデータ）をＴＤＭＡエンコード部３２へ送出するように切り換えを行う。この場合には、制御部５はデータ通信中を検出できるので、信号線６６を介してデータ通信中が通知される。この場合にも、図５、図６のフローチャートのプログラムによる処理が行われる。ただし、スピーカ拡声による通話中の検出に代えてデータ通信中の検出が行われる。なお、第１の充電制御手段９２と第２の充電制御手段９３は、その少なくとも一方を備えさせて、無線通信端末装置の充電制御装置を構成することができ、このように構成しても、前述の実施の形態と同様の効果を奏することができる。
【００３９】
以上説明したように、本発明の無線通信端末装置によれば、無線通信端末装置の状態に基づいて、第１の充電制御手段と第２の充電制御手段による充電制御に対する制御がされるので、無線通信端末装置の状態に応じて適切に充電がなされるという効果がある。
【００４０】
以上説明したように、本発明の無線通信端末装置によれば、充電中に拡声モードであるか否かにより、第１、第２の充電制御手段による充電制御が制御されるので、拡声モードである場合にも適切に充電がなされるという効果がある。
【００４１】
以上説明したように、本発明の無線通信端末装置によれば、無線通信端末装置が拡声モード状態である場合、この拡声モードが終了するまで、第１の充電制御手段及び第２の充電制御手段による充電制御、つまり時間経過による充電制御が停止されるので、適切に充電がなされるという効果がある。
【００４２】
以上説明したように、本発明の無線通信端末装置によれば、充電中に拡声モードによる動作が行われて電池の充電電圧が充電開始電圧になると、充電を行うので、適切に充電がなされる。
【００４３】
以上説明したように、本発明の無線通信端末装置によれば、無線通信端末装置がデータ通信を行っている状態であるか否かを検出して、充電の制御を行うので、充電中にデータ通信による動作が行われても、適切に充電がなされる効果がある。
【００４４】
以上説明したように、本発明の無線通信端末装置によれば、無線通信端末装置がデータ通信状態である場合、このデータ通信が終了するまで、第１の充電制御手段及び第２の充電制御手段による充電制御、つまり時間経過による充電制御が停止されるので、適切に充電がなされるという効果がある。
【００４５】
以上説明したように、本発明の無線通信端末装置によれば、充電中にデータ通信による動作が行われて電池の充電電圧が充電開始電圧になると、充電を行うので、適切に充電がなされる。
【図面の簡単な説明】
【００４６】
【図１】本発明の実施の形態に係る無線通信端末装置の充電制御装置を含む電話装置の構成図。
【図２】ＰＨＳ端末装置による発呼時のシーケンスを示す図。
【図３】ＰＨＳ端末装置による着呼時のシーケンスを示す図。
【図４】本発明の実施の形態に係る無線通信端末装置の要部の機能ブロック図。
【図５】本発明の実施の形態に係る無線通信端末装置の充電制御動作を示すフローチャート。
【図６】本発明の実施の形態に係る無線通信端末装置の充電制御動作を示すフローチャート。
【符号の説明】
【００４７】
１  無線部                          ２  モデム部
３  ＴＤＭＡ部                      ４  通話部
５  制御部                          ６  電源部
５１  キー入力部                    ５２  表示部
５３  計時回路                      ５４  サウンダ
５５  バイブレータユニット          ５６  ＲＡＭ
５７  プログラムＦＲＯＭ            ５８  録再ＦＲＯＭ
５９  ＥＥＰＲＯＭ                  ６１  バッテリ
６３  充電制御回路                  ６４  充電端子
６５  ＬＥＤ                        ９１  接続検出部
９２  第１の充電制御手段            ９３  第２の充電制御手段
９４  検出手段                      ９５  制御手段
【図１】
2005057791.tif 000003
【図２】
2005057791.tif 000004
【図３】
2005057791.tif 000005
【図４】
2005057791.tif 000006
【図５】
2005057791.tif 000007
【図６】
2005057791.tif 000008